(57)【要約】【課題】腿の間に保持できるより簡易な構成からなる腿乗せ簡易テーブルを提供する。【解決手段】中央プレート11とその両側に位置する左プレート12と右プレート13の３枚のプレートから成る。これら３枚のプレートのそれぞれの１辺を相互に連結し、この連結辺15を回動中心として回動可能に開閉自在とする。中央プレート11を着席した使用者の腿の間に保持し、他の２つの左右プレート12、13を腿の上に載置して平面状に開くことができ、左右プレート12、13を平面状に開放した際に、これら左右プレート12、13の連結辺15においてこれら左右プレート12、13の端面同士を相互に当接させることにより左右プレート12、13が平面状に維持される。左右プレート12、13の何れか一方にカップホルダーとしての容器保持用穴部17を形成する。【選択図】図１
0003192260.tif 000002
【実用新案登録請求の範囲】
【請求項１】
中央プレートとその両側に位置する左プレートと右プレートの３枚のプレートから成り、
これら３枚のプレートのそれぞれの１辺を相互に連結して連結辺と成し、この連結辺を回動中心として回動可能に開閉自在と成し、
中央に位置する中央プレートを着席した使用者の腿の間に保持し、他の２つの左右プレートは腿の上に載置して平面状に開くことができ、
前記左右プレートを平面状に開放した際に、これら左右プレートの連結辺においてこれら左右プレートの端面同士を相互に当接させることにより、左右プレートが平面状に維持されることを特徴とする腿乗せ簡易テーブル。
【請求項２】
中央プレートとその両側に位置する右プレートと左プレートの３枚のプレートから成り、
これら３枚のプレートのそれぞれの１辺を相互に連結して連結辺と成し、この連結辺を回動中心として回動可能に開閉自在と成し、
中央に位置する中央プレートを着席した使用者の腿の間に保持し、他の２つの左右プレートは腿の上に載置して平面状に開くことができ、
これら平面状に開いた左右プレートを平面状に維持するための平面維持部材を左右プレートの一方又は両方に設けたことを特徴とする腿乗せ簡易テーブル。
【請求項３】
前記左右プレートの何れか一方の側にカップ又はコップホルダー用の容器保持用穴部を形成したことを特徴とする請求項１又は２に記載の腿乗せ簡易テーブル。
【請求項４】
前記容器保持用穴部が平面視多角形形状を有していることを特徴とする請求項３に記載の腿乗せ簡易テーブル。
【請求項５】
前記平面維持部材が、左右プレートの一方又は両方のプレートの上縁表面部及び／又は下縁表面部に設けたスライド片から成り、
このスライド片が前記上縁表面部及び／又は下縁表面部に沿って左右横方向に往復動でき、このスライド片が前記連結辺を跨ぐ位置で左右プレートが平面状に維持されることを特徴とする請求項２乃至４の何れか１項に記載の腿乗せ簡易テーブル。
【請求項６】
前記中央プレートの前後幅を、左右プレートの前後幅よりも短く形成し、
前記平面維持部材は、左右プレートの一方又は両方のプレートの上縁部及び／又は下縁部を抱持するような横断面略コ字形状を有するスライド部材からなり、
このスライド部材を、左右プレートの一方又は両方のプレートの上縁部及び／又は下縁部を抱持しつつ左右横方向に往復動でき、このスライド部材が前記連結辺を跨ぐ位置で左右プレートが平面状に維持されることを特徴とする請求項２乃至４の何れか１項に記載の腿乗せ簡易テーブル。
【考案の詳細な説明】
【技術分野】
【０００１】
本考案は、椅子に着席した使用者の両腿の間と両腿の上に載せて使用することができる折畳み自在の簡易テーブルに関するものである。
【背景技術】
【０００２】
従来の簡易テーブルとしては、下記特許文献に記載のものを挙げることができる。
この特許文献に記載のコンパクトテーブルは、携帯や収納が容易にでき、床や椅子に座った状態の使用者の膝上でずれ難く、楽な姿勢を維持し、使用者の負担を軽減する効果がある折り畳みテーブルを提供することを課題とする。
【０００３】
その構成は、天板と膝受板と股受板とからなるテーブルで、膝受部を設けた膝受板及び股受部を設けた股受板を天板から開き、使用者の膝上に接触させてコンパクトテーブルを形成できるものであって、ずれ難く楽な姿勢でテーブル作業をすることができる。
天板をケース形に形成し、膝受板及び股受板をケースの内側や外側に具備することで更に携帯性が向上するものである。
【先行技術文献】
【特許文献】
【０００４】
【特許文献１】特開２０１２−１６５９８０号公報
【考案の概要】
【考案が解決しようとする課題】
【０００５】
上記従来のテーブルにあっては、ケース内への収納をも考慮に入れているために、その構成が複雑なものとなっている。
そこで、本考案においては、より簡易な構成から成る簡易テーブルを創案することをその第一の課題としている。
また、簡易な構成で折畳み自在であっても、最低限の必要な構成を有すること、即ち、平面状のテーブル面が確実に平面状に維持されることもその課題となるものである。
その他テーブルを必要とする際に、即ち飲食等をする際に、必要な装備をも兼ね備えることもその課題となる。
【課題を解決するための手段】
【０００６】
上記課題を解決するために、本考案の第１のものは、中央プレートとその両側に位置する左プレートと右プレートの３枚のプレートから成り、これら３枚のプレートのそれぞれの１辺を相互に連結して連結辺と成し、この連結辺を回動中心として回動可能に開閉自在と成し、中央に位置する中央プレートを着席した使用者の腿の間に保持し、他の２つの左右プレートは腿の上に載置して平面状に開くことができ、前記左右プレートを平面状に開放した際に、これら左右プレートの連結辺においてこれら左右プレートの端面同士を相互に当接させることにより、左右プレートが平面状に維持されることを特徴とする腿乗せ簡易テーブルである。
ここで、「左右」というのは、本考案に係る簡易テーブルを使用者の腿の上に乗せた状態における使用者側から見た左右方向であり、以下に記載する「前・後」についても同様に使用者の位置から見た前後方向を意味する。
また、ここで、「左右プレート」というのは、「左プレート及び右プレート」を略して言うものとする（以下同じである。）
【０００７】
本考案の第２のものは、中央プレートとその両側に位置する右プレートと左プレートの３枚のプレートから成り、これら３枚のプレートのそれぞれの１辺を相互に連結して連結辺と成し、この連結辺を回動中心として回動可能に開閉自在と成し、中央に位置する中央プレートを着席した使用者の腿の間に保持し、他の２つの左右プレートは腿の上に載置して平面状に開くことができ、これら平面状に開いた左右プレートを平面状に維持するための平面維持部材を左右プレートの一方又は両方に設けたことを特徴とする腿乗せ簡易テーブルである。
【０００８】
本考案の第３のものは、上記第１又は第２の考案において、前記左右プレートの何れか一方の側にカップ又はコップホルダー用の容器保持用穴部を形成したことを特徴とする腿乗せ簡易テーブルである。
【０００９】
本考案の第４のものは、上記第３の考案において、前記容器保持用穴部が平面視多角形形状を有していることを特徴とする腿乗せ簡易テーブルである。
【００１０】
本考案の第５のものは、上記第２乃至第４の何れかの考案において、前記平面維持部材が、左右プレートの一方又は両方のプレートの上縁表面部及び／又は下縁表面部に設けたスライド片から成り、
このスライド片が前記上縁表面部及び／又は下縁表面部に沿って左右横方向に往復動でき、このスライド片が前記連結辺を跨ぐ位置で左右プレートが平面状に維持されることを特徴とする腿乗せ簡易テーブルである。
【００１１】
本考案の第６のものは、上記第２乃至第４の何れかの考案において、前記中央プレートの前後幅を、左右プレートの前後幅よりも短く形成し、前記平面維持部材は、左右プレートの一方又は両方のプレートの上縁部及び／又は下縁部を抱持するような横断面略コ字形状を有するスライド部材からなり、このスライド部材を、左右プレートの一方又は両方のプレートの上縁部及び／又は下縁部を抱持しつつ左右横方向に往復動でき、このスライド部材が前記連結辺を跨ぐ位置で左右プレートが平面状に維持されることを特徴とする腿乗せ簡易テーブルである。
【考案の効果】
【００１２】
本考案の第１のものにおいては、その本体が中央プレートと左右プレートの３枚のプレートから形成され、極めてシンプルな構成から成る。
また、これら３枚のプレートは、その連結辺で回動自在に連結され、折畳み自在に形成されているために、３枚のプレートを重ね合わせて平面的に重ね合わせ、収束することができ、持ち運びや携帯に便利なものとなる。
更に、左右プレートは、これらを平面状に開放した際に、その連結辺においてその端面同士が相互に当接するように構成されているために、これらの左右プレートを平面状に維持させることができるのである。
【００１３】
本考案の第２のものにおいても、その本体が中央プレートと左右プレートの３枚のプレートから形成され、極めてシンプルなものから成る。
また、これら３枚のプレートは、その連結辺で回動自在に連結され、折畳み自在に形成されているために、３枚のプレートを重ね合わせて平面的に収束することができ、持ち運びや携帯に便利なものとなる。
更に、この考案においては、平面維持部材を設けているために、左右プレートを平面状に開いた状態で、この平面状態を維持することができるものとなり、テーブル上面に置いた飲食物等が滑り落ちてしまうことが防止されるのである。
【００１４】
本考案の第３のものにおいては、上記第１又は第２の考案において、カップ又はコップホルダー用の容器保持用穴部を設けたことを限定したものであり、これにより各種容器の下方部分が当該容器保持用穴部内に挿入されて、保持されることとなる。
【００１５】
本考案の第４のものにおいては、上記第３の考案に係る容器保持用穴部の形態を更に特定したものであって、即ち、その穴部の平面視形状を多角形に形成したものである。
容器保持用穴部による各種容器の保持をより向上させたものである。
【００１６】
本考案の第５のものにおいては、上記平面維持部材の形態を具体化したものであって、この第５の考案では、この平面維持部材としてスライド片を用いたものである。
このスライド片は、左右プレートの一方の上縁表面部及び／又は下縁表面部に設けてもよいし、右プレートの上縁表面部と左プレートの下縁表面部に設けてもよいし、その逆に設けてもよいものである。
これにより、平面状に開放された左右プレートの連結辺を跨ぐようにスライド片を掛け渡すことによって、左右プレートが平面状態を維持できることとなるのである。
【００１７】
本考案の第６のものにおいても、上記平面維持部材の形態を具体化したものであって、この第６の考案では、前記中央プレートの前後幅を、左右プレートの前後幅よりも短く形成し、平面維持部材は、左右プレートの一方又は両方のプレートの上縁部及び／又は下縁部を抱持するような横断面略コ字形状を有するスライド部材からなり、このスライド部材を、左右プレートの一方又は両方のプレートの上縁部及び／又は下縁部を抱持しつつ左右に往復動できるものとした。
これにより、左右プレートを平面状に開放し、スライド部材を左右プレートの連結辺を跨ぐように掛け渡して左右プレートを平面状に維持できるのである。
【図面の簡単な説明】
【００１８】
【図１】本考案の腿乗せ簡易テーブルの実施形態を図示しており、その（Ａ）が全体を開放してテーブル状態にした斜視図、その（Ｂ）が左右プレートを中央プレートに収束させる状態を示す斜視図、その（Ｃ）が３枚のプレートを収束して折り畳み閉じた状態を示す斜視図である。
【図２】本考案に係る簡易テーブルの他の実施形態を図示する斜視説明図である。
【図３】本考案に係る簡易テーブルの更に他の実施形態を図示する斜視説明図である。
【考案を実施するための形態】
【００１９】
以下、添付の図面と共に本考案の実施形態について説明する。
図１は、本考案の腿乗せ簡易テーブルの実施形態を図示しており、その（Ａ）が全体を開放してテーブル状態にした斜視図、その（Ｂ）が左右プレートを中央プレートに収束させる状態を示す斜視図、その（Ｃ）が３枚のプレートを収束して折り畳み閉じた状態を示す斜視図である。
【００２０】
本考案に係る腿乗せ簡易テーブル１０は、中央に位置する中央プレート１１と、左側に位置する左プレート１２と、右側に位置する右プレート１３の３枚のプレートから構成されている。
これら３枚のプレート１１、１２、１３は、その１辺である連結辺１５で相互に連結され、この連結辺１５を回動中心軸として回動し、左右両側方向に開いたり、閉じたり、開閉自在に形成されている。
尚、図中、矢印Ｘが左右方向を示し、矢印Ｙが前後方向を示している。
【００２１】
これら中央プレート１１、左プレート１２、右プレート１３は、それぞれ硬質の合成樹脂製のものである。
連結辺１５の部分も熱可塑性合成樹脂シートを使用して相互に溶着されたものである。
この連結辺１５の部位においては、左プレート１２と右プレート１３の連結辺側の端面部１２ｔ、１３ｔは、相互に当接できるように形成している。
【００２２】
つまり、左プレート１２と右プレート１３とを平面状に開放すると、これら左右プレート１２、１３の連結辺側の端面部１２ｔ、１３ｔが相互に当接し、左右プレート１２、１３は、平面状態を維持することができるのである。
【００２３】
右プレート１３の右上コーナー部分には、正８角形の容器保持用穴部１７が設けられている。
この容器保持用穴部１７は、このような多角形でなく、円形でもよく、カップやコップ等の筒状の下端部分を受容し、保持することができるものである。
この容器保持用穴部１７には、勿論のこととして、ペットボトル等の容器をも受容し、保持することも可能である。
【００２４】
図１（Ｂ）からよく解る通り、中央プレート１１の上下方向長さは、両側の左右プレート１２、１３の上下方向長さよりも短く形成している。
これは、使用者が椅子等に着席している際に、中央プレート１１の下端部が椅子の座面に当接しないように考慮したものである。
しかし、この上下長さは、左右プレート１２、１３のそれと同一としてもよい。椅子に浅く腰かければ問題は生じないからである。
【００２５】
更に、右プレート１３の右側縁の略中央部には、把持片２０を設けている。
この把持片２０を手の指で把持して右プレート１３を開放させる際に、容易に行うことができるものとなる。
勿論、上記把持片２０は、左プレート１２の左側縁に設けてもよいし、その設ける位置も側縁部の略中央部でなく、その上方又は下方に設けるのも自由である。
その他、左右プレート１２、１３の上面部に色彩や模様を施すことも自由であり、把持片２０の部位に穴部を形成して把持し易くすることもできる。
【００２６】
また（Ｃ）図のように平面的に折り畳んだ状態で、３枚のプレート１１、１２、１３が開放しないように、把持片２０が設けられた側縁部に閉鎖部材を設けるのも自由である。
閉鎖部材としては、帯状のものを使用して、その端部を左右プレート１２、１３の何れか一方の縁部に固定し、他方の縁部に面ファスナー等により係着自在に形成すればよいのである。
【００２７】
図２は、本考案に係る簡易テーブルの他の実施形態を図示する斜視説明図である。
この実施形態に係る簡易テーブル２０は、上記実施形態に係る簡易テーブル１０と基本構成は、同一であるが、左右プレート１２、１３を平面状に維持するための平面維持部材を設けたものである。
【００２８】
この平面維持部材として、この実施形態においてはスライド片２１を付加したものである。
このスライド片２１は、硬質の合成樹脂製の細長い帯板形状のものからなり、摺動ガイド部２２が、右プレート１３の上縁表面部と下縁表面部の２箇所に設けられ、この摺動ガイド部２２にガイドされて、スライド片２１が左右方向、即ち横方向に往復摺動可能に形成されたものである。
【００２９】
このスライド片２１、２１の存在により、左右プレート１２、１３が連結辺１５を回動中心としてそれぞれ上方に回動され、平面状に開放された状態で、そのスライド片２１、２１のそれぞれを左側方向にスライドさせて、連結辺１５を跨ぐように配置させ、これによって左右プレート１２、１３が平面状に維持されるのである。
これにより、誤って左右プレート１２、１３の左右の側縁部が上方に又は下方に傾くことが防止され、左右プレート１２、１３は平面状に維持されるのである。
【００３０】
図３は、本考案の更に他の実施形態に係る簡易テーブルを図示する斜視説明図である。
この実施形態に係る簡易テーブル３０は、上記実施形態に係る簡易テーブル１０、２０と基本構成は、同一であるが、左右プレート１２、１３を平面状に維持するための平面維持部材の形態が上記実施形態と異なるものである。
【００３１】
この平面維持部材として、この実施形態においてはスライド部材２３を利用したものである。
このスライド部材２３は、適宜長さの弾力性のある硬質の合成樹脂製の横断面略コ字形状のものからなり、右プレート１３の上縁部と下縁部の２箇所に設けられ、これら上縁部と下縁部を抱持するように左右方向に摺動することができる。
つまり、これらのスライド部材２３は、右プレート１３の上縁部及び下縁部をそれぞれ抱持しつつ、左右方向、即ち横方向に往復摺動可能に形成されたものである。
【００３２】
このスライド部材２３、２３の存在により、左右プレート１２、１３が連結辺１５を回動中心としてそれぞれ上方に回動され、平面状に開放された状態で、そのスライド部材２３、２３のそれぞれを左側方向にスライドさせて、連結辺１５を跨ぐように配置させ、これによって左右プレート１２、１３が平面状に維持されるのである。
【００３３】
これにより、誤って左右プレート１２、１３の左右の側縁部が上方に又は下方に傾いてしまうことが防止され、左右プレート１２、１３は平面状に維持されることとなるのである。
尚、この実施形態では、図３にある通り、容器保持用穴部１７は、左プレート１２の左上コーナー部位に設けている。
このように容器保持用穴部１７は、左右プレート１２、１３の何れかの所望位置に設けることができる。
【００３４】
以上、本考案の実施形態について説明したが、本考案においては以下の通り種々その形態を設計変更することができる。
中央プレート、左右プレートの縦横サイズ及び厚みは、それぞれ自由に設計することができる。
各プレートの材質は、硬質合成樹脂製のものを採用したが、具体的には適宜自由にその素材を選択することができる。
【００３５】
上記実施形態では、各プレート共略矩形形状のものを使用したが、その形状は、連結辺が直線であればよく、その他の辺は曲線で形成されていてもよい。
即ち、各プレートの外形形状は、１辺が直線で他の３辺が１本の曲線で囲まれた任意の形状であっても実施可能である。
【００３６】
容器保持用穴部も平面視多角形形状或いは円形形状でもよく、各種のカップ、コップ又はペットボトル等の容器を保持できるものであればよい。
スライド片も上記実施形態では右プレートに設けたが、これを左プレートに設けることもできる。
【００３７】
或いは、上方のスライド片を右プレートに、下方のスライド片を左プレートに設けてもよいし、その逆に設けることもできる。
同様に、スライド部材も、左プレートの側に設けることもできるし、上方のスライド部材を右プレートに、下方のスライド部材を左プレートに設けることもできるし、その逆に設けることも自由である。
【００３８】
以上、本考案にあっては、３枚のプレートを用いて、その連結辺で相互に連結し、その連結辺を中心として回動自在に連結して、開閉自在、折畳み自在に構成し、中央プレートを着席した使用者の腿の間で保持し、両方の腿の上で左右プレートを平面状に保持できる極めて便利な腿乗せ簡易テーブルを提供することができた。
【符号の説明】
【００３９】
１０、２０、３０  腿乗せ簡易テーブル
１１  中央プレート
１２  左プレート
１３  右プレート
１５  連結辺
１７  容器保持用穴部
２０  把持片
２１  スライド片
２２  摺動ガイド部
２３  スライド部材
【図１】
0003192260.tif 000003
【図２】
0003192260.tif 000004
【図３】
0003192260.tif 000005